(57)【要約】  【課題】  多くの独立した監視対象の監視に適した画像監視記録システム及び画像監視記録方法を提供する。  【解決手段】  画像監視記録システム１００は、それぞれが異なる撮影地点１２０に対応する複数の記録端末１１２と、管理端末１１４とを有し、管理端末１１４は、複数の撮影地点１２０に設置されたネットワークカメラ１２２の全てにアクセスする制御部２２１を有し、記録端末１１２は、対応する撮影地点１２０に設置されたネットワークカメラ１２２にアクセスする制御部２１１と、当該ネットワークカメラ１２２からの画像データを記録するハードディスク２１３とを有する。【選択図】  図１
2006157276.tif 000002
【特許請求の範囲】
【請求項１】
ネットワークを介して複数の撮影地点に設置されたカメラからの画像データに基づく監視を行うとともに、該画像データを記録する画像監視記録システムであって、
管理端末と、それぞれが異なる１又は複数の撮影地点に対応する複数の記録端末とを有し、
前記管理端末は、
前記複数の撮影地点に設置されたカメラの全てにアクセスする第１のアクセス手段を有し、
前記記録端末は、
自端末に対応する撮影地点に設置されたカメラにアクセスする第２のアクセス手段と、
自端末に対応する撮影地点に設置されたカメラからの画像データを記録する記録手段とを有することを特徴とする画像監視記録システム。
【請求項２】
前記記録端末は、
操作指示を受け付ける操作手段と、
自端末に対応する撮影地点に設置されたカメラからの画像データを表示する表示手段とを有することを特徴とする請求項１に記載の画像監視記録システム。
【請求項３】
前記第２のアクセス手段は、予め定められた集団に属する撮影地点に設置されたカメラにアクセスすることを特徴とする請求項１又は２に記載の画像監視記録システム。
【請求項４】
前記記録手段は、前記撮影地点に異常が生じた場合に、前記画像データを記録することを特徴とする請求項１乃至３のいずれかに記載の画像監視記録システム。
【請求項５】
前記第１及び第２のアクセス手段は、前記撮影地点に対応する識別情報及び前記撮影地点に設置されたカメラにアクセスするためのパスワードを用いて前記カメラにアクセスすることを特徴とする請求項１乃至４のいずれかに記載の画像監視記録システム。
【請求項６】
前記管理端末は、
前記撮影地点に対応する識別情報及び前記撮影地点に設置されたカメラにアクセスするためのパスワードを管理する情報管理手段を有することを特徴とする請求項１乃至５のいずれかに記載の画像監視記録システム。
【請求項７】
複数の収容箇所のそれぞれに前記記録端末を１台ずつ収容する収容体と、
前記収容箇所毎に設けられ、施錠鍵によって施錠可能な複数の開閉扉とを有することを特徴とする請求項１乃至６のいずれかに記載の画像監視記録システム。
【請求項８】
前記開閉扉は、前記記録端末の稼働状況が外部から認識可能な監視窓を有することを特徴とする請求項７に記載の画像監視記録システム。
【請求項９】
複数の収容箇所のそれぞれに前記記録端末を１台ずつ収容する収容体と、
前記収容体に設けられ、施錠鍵によって施錠可能な開閉扉とを有することを特徴とする請求項１乃至６のいずれかに記載の画像監視記録システム。
【請求項１０】
ネットワークを介して複数の撮影地点に設置されたカメラからの画像データに基づく監視を行うとともに、該画像データを記録する、管理端末と、それぞれが異なる１又は複数の撮影地点に対応する複数の記録端末とを有する画像監視記録システムにおける画像監視記録方法であって、
前記管理端末が前記複数の撮影地点に設置されたカメラの全てにアクセスする第１のアクセスステップと、
前記記録端末が自端末に対応する撮影地点に設置されたカメラにアクセスする第２のアクセスステップと、
前記記録端末が自端末に対応する撮影地点に設置されたカメラからの画像データを記録手段に記録する記録ステップとを有することを特徴とする画像監視記録方法。
【発明の詳細な説明】
【技術分野】
【０００１】
本発明は、ネットワークを介して複数の撮影地点に設置されたカメラからの画像データに基づく監視を行うとともに、該画像データを記録する画像監視記録システム、及び該画像監視記録システムにおける画像監視記録方法に関する。
【背景技術】
【０００２】
従来より、犯罪抑止等の観点から遠隔地にカメラを設置し、このカメラによって撮影された画像のデータに基づく監視を行うとともに、その画像データを記録する画像監視記録システムが提供されていた。しかし、このような画像監視記録システムでは、画像データは、アナログデータであって有線ケーブルを介して伝送されていたため、外乱の影響を受けやすかった。このため、画像データの伝送距離、換言すれば、撮影地点と監視及び記録を行う地点との距離に制限があった。
【０００３】
このような問題を解決するものとして、近年、カメラから出力されるアナログ画像データをデジタルの画像データに変換してネットワークへ伝送する端末や、撮影した画像のデジタルデータをネットワークに直接伝送する通信機能を内蔵したネットワークカメラを用いる画像監視記録システムが提供されている。この画像監視記録システムでは、デジタルの画像データが伝送されるため、撮影地点と監視及び記録を行う地点との距離の制限を受けることがなく、且つ、汎用のパーソナルコンピュータや携帯電話機等を用いた画像のモニタが可能となる（例えば、特許文献１及び２参照）。
【０００４】
図１は、従来の画像監視記録システムの構成を示す図である。図１に示す画像監視記録システム５００は、複数の撮影地点に設置されたカメラ５２０−１乃至５２０−３によって撮影された画像のデータに基づく監視を行うとともに、当該画像データを記録するものである。この画像監視記録システム５００では、画像データの配信及び記録機能を実現するソフトウェア５１２をインストールしたサーバ５１３が、ネットワーク５３０を介して、カメラ５２０−１乃至５２０−３からの画像データを受信し、当該サーバ５１３に接続された複数の画像表示装置５１４−１乃至５１４−４が、その受信した画像データに基づく画像表示を行う。また、サーバ５１３は、当該サーバ５１３に接続された大容量ハードディスク５１５に、指定した画像データを記録する。
【特許文献１】特開２００２−３２５７１号公報
【特許文献２】特開２００２−２１６２７８号公報
【発明の開示】
【発明が解決しようとする課題】
【０００５】
ところで、最近は、ブロードバンドネットワークが広く普及し、普及型のネットワークカメラが実用化されているという技術的背景や、治安悪化により防犯意識が高まっているという社会的背景により、住居等の監視対象においても犯罪を抑止するための画像監視記録システムが要求されている。
【０００６】
しかしながら、上述した従来の画像監視記録システムは、集中監視と、画像データの集中管理を目的としたものであり、高度なセキュリティが求められる場所（例えば、銀行や空港等）に特化した専門的なものとなっている。このため、住居等の多くの独立した監視対象に適したシステムとなっていない。
【０００７】
本発明は上述した従来の問題を解決するためになされたもので、多くの独立した監視対象の監視に適した画像監視記録システム及び画像監視記録方法を提供することを目的とする。
【課題を解決するための手段】
【０００８】
本発明の画像監視記録システムは、ネットワークを介して複数の撮影地点に設置されたカメラからの画像データに基づく監視を行うとともに、該画像データを記録するものであって、管理端末と、それぞれが異なる１又は複数の撮影地点に対応する複数の記録端末とを有し、前記管理端末が、前記複数の撮影地点に設置されたカメラの全てにアクセスする第１のアクセス手段を有し、前記記録端末が、自端末に対応する撮影地点に設置されたカメラにアクセスする第２のアクセス手段と、自端末に対応する撮影地点に設置されたカメラからの画像データを記録する記録手段とを有する。
【０００９】
この構成により、管理端末により住居等の複数の独立した監視対象である撮影地点をまとめて監視することが可能となる。また、複数の記録端末により１又は複数の撮影地点毎に画像データが独立して記録されるため、監視対象である撮影地点が数多く存在する場合においても個々の撮影地点に対応する画像データの独立性、換言すれば、画像データのセキュリティを高めることができる。従って、住居等のプライバシーの保護が要求されるような多くの独立した監視対象の監視に適したものとすることができる。
【００１０】
また、本発明の画像監視記録システムは、前記記録端末が、操作指示を受け付ける操作手段と、自端末に対応する撮影地点に設置されたカメラからの画像データを表示する表示手段とを有する。
【００１１】
この構成により、管理端末のみならず、記録端末においても当該記録端末に対応する監視対象である撮影地点の監視が可能となる。
【００１２】
また、本発明の画像監視記録システムは、前記第２のアクセス手段が、予め定められた集団に属する撮影地点に設置されたカメラにアクセスする。
【００１３】
この構成により、例えばマンション内の各住居等、予め定められた集団に属する監視対象である撮影地点の画像データが１の記録端末に記録されるため、コストを抑制しつつ画像データの独立性を維持することが可能となる。
【００１４】
また、本発明の画像監視記録システムは、前記記録手段が、前記撮影地点に異常が生じた場合に、前記画像データを記録する。
【００１５】
この構成により、例えば、撮影地点に動体が存在する等の異常が生じた場合に画像データが記録手段に記録されることになるため、監視に必要な画像データを適切に記録しつつ、記録手段を有効に利用することが可能となる。
【００１６】
また、本発明の画像監視記録システムは、前記第１及び第２のアクセス手段が、前記撮影地点に対応する識別情報及び前記撮影地点に設置されたカメラにアクセスするためのパスワードを用いて前記カメラにアクセスする。
【００１７】
この構成により、カメラによる撮影や画像データの記録に関する第三者の不正操作を防止することができる。
【００１８】
また、本発明の画像監視記録システムは、前記管理端末が、前記撮影地点に対応する識別情報及び前記撮影地点に設置されたカメラにアクセスするためのパスワードを管理する情報管理手段を有する。
【００１９】
この構成により、正当な権限を有する者が識別情報やパスワードを忘れた場合においても、簡易にカメラによる撮影や画像データの記録に関する操作を行うことが可能となる。
【００２０】
また、本発明の画像監視記録システムは、複数の収容箇所のそれぞれに前記記録端末を１台ずつ収容する収容体と、前記収容箇所毎に設けられ、施錠鍵によって施錠可能な複数の開閉扉とを有する。
【００２１】
この構成により、記録端末の物理的な保護を図ることができる。
【００２２】
また、本発明の画像監視記録システムは、前記開閉扉が、前記記録端末の稼働状況が外部から認識可能な監視窓を有する。
【００２３】
この構成により、開閉扉を開けることなく記録端末の稼働状況を確認することが可能となる。
【００２４】
また、本発明の画像監視記録システムは、複数の収容箇所のそれぞれに前記記録端末を１台ずつ収容する収容体と、前記収容体に設けられ、施錠鍵によって施錠可能な開閉扉とを有する。
【００２５】
この構成により、記録端末の物理的な保護を図ることができる。
【００２６】
また、本発明の画像監視記録方法は、ネットワークを介して複数の撮影地点に設置されたカメラからの画像データに基づく監視を行うとともに、該画像データを記録する、管理端末と、それぞれが異なる１又は複数の撮影地点に対応する複数の記録端末とを有する画像監視記録システムにおけるものであって、前記管理端末が前記複数の撮影地点に設置されたカメラの全てにアクセスする第１のアクセスステップと、前記記録端末が自端末に対応する撮影地点に設置されたカメラにアクセスする第２のアクセスステップと、前記記録端末が自端末に対応する撮影地点に設置されたカメラからの画像データを記録手段に記録する記録ステップとを有する。
【発明の効果】
【００２７】
本発明は、複数の監視対象である撮影地点をまとめて監視することが可能となるとともに、１又は複数の撮影地点毎に画像データが独立して記録されることによって独立した監視対象である撮影地点が数多く存在する場合においても個々の撮影地点に対応する画像データの独立性、換言すれば、画像データのセキュリティを高めることができ、多くの独立した監視対象に適した画像監視記録システムものとすることができる。
【発明を実施するための最良の形態】
【００２８】
以下、本発明の実施の形態の画像監視記録システムについて、図面を用いて説明する。
【００２９】
本発明の実施形態における画像監視記録システムの構成を図２に示す。図２に示す画像監視記録システム１００は、住居等の複数の独立した撮影地点１２０−１乃至１２０−３（以下、これら撮影地点１２０−１乃至１２０−３をまとめて、適宜「撮影地点１２０」と称する）の撮影によって得られる画像データを、インターネット等のネットワーク１３０を介して受信し、当該画像データに基づく監視を行うとともに、当該画像データを記録するものである。この画像監視記録システム１００は、各種通信処理を行うモデム１０２、ルータ１０４及びハブ１０６と、撮影地点１２０と１対１に対応する記録端末１１２−１乃至１１２−３（以下、これら記録端末１１２−１乃至１１２−３をまとめて、適宜「記録端末１１２」と称する）と、管理端末１１４とによって構成される。図１において、記録端末１１２−１は撮影地点１２０−１に対応し、記録端末１１２−２は撮影地点１２０−２に対応し、記録端末１１２−３は撮影地点１２０−３に対応する。
【００３０】
撮影地点１２０−１乃至１２０−３のぞれぞれには、ネットワークカメラ１２２−１乃至１２２−３（以下、これらネットワークカメラ１２２−１乃至１２２−３をまとめて、適宜「ネットワークカメラ１２２」と称する）と、各種通信処理を行うハブ内蔵ルータ１２４−１乃至１２４−３（以下、これらハブ内蔵ルータ１２４−１乃至１２４−３をまとめて、適宜「ハブ内蔵ルータ１２４」と称する）、及び、モデム１２６−１乃至１２６−３（以下、これらモデム１２６−１乃至１２６−３をまとめて、適宜「モデム１２６」と称する）と、ネットワークカメラ１２２−１乃至１２２−３に関する各種設定を行うパーソナルコンピュータ（パソコン）１２８−１乃至１２８−３（以下、これらパソコン１２８−１乃至１２８−３をまとめて、適宜「パソコン１２８」と称する）とが設置されている。
【００３１】
撮影地点１２０に設置されるネットワークカメラ１２２は、ハブ内蔵ルータ１２４及びモデム１２６を介してネットワーク１３０に接続される。このネットワークカメラ１２２は、通信機能を有する。
【００３２】
ネットワークカメラ１２２の構成を図３に示す。図３に示すネットワークカメラ１２２は、本体４２１と、レンズ４２２と、当該レンズ４２２を通過した光をアナログ画像データに変換して出力するＣＣＤ（Charge Coupled Devices）等の撮像素子４２３と、アナログ画像データをデジタル画像データに変換するＤＳＰ（Digital Signal Processor）部４２４と、デジタル画像データについて、ＪＰＥＧ（Joint Photographic Experts Group）、ＭＰＥＧ（Moving Picture Experts Group）等の画像圧縮形式に基づいて圧縮する画像圧縮部４２５と、ＴＣＰ／ＩＰ（Transmission Control Protocol/Internet Protocol）に関する通信制御を行うネットワーク処理部４２６、及び、ネットワーク１３０に接続され、イーサネット（登録商標）通信に関する制御を行うイーサネット（登録商標）処理部４２７と、レンズ４２２の方向を制御するパンチルト部４２８とによって構成される。
【００３３】
このネットワークカメラ１２２は、図４に示すように、ハブ内蔵ルータ１２４、モデム１２６及びネットワーク１３０を介して遠隔地の携帯電話機１４０やパソコン１５０に接続されており、撮影地点１２０の撮影によって得られた圧縮画像データをこれら携帯電話機１４０やパソコン１５０へ配信する。これにより、携帯電話機１４０やパソコン１５０の利用者は、撮影地点１２０の画像を見ることができる。
【００３４】
図５は、画像配信処理のシーケンス図である。携帯電話機１４０やパソコン１５０（以下、「携帯電話機１４０等」と称する）は、ネットワークカメラ１２２に対応するグローバルＩＰアドレス、具体的には、ネットワークカメラ１２２が接続されるハブ内蔵ルータ１２４のグローバルＩＰアドレスを含んだ配信要求を送信する。この配信要求は、ネットワークカメラ１２２によって受信される（Ｓ１０１）。配信要求を受信したネットワークカメラ１２２は、撮影地点１２０の識別情報であるＩＤコードと、当該ＩＤコードに対応するパスワードとの要求を配信要求の送信元の携帯電話機１４０等へ送信する（Ｓ１０２）。
【００３５】
ＩＤコード及びパスワードの要求を受信した携帯電話機１４０等は、利用者にＩＤコード及びパスワードの入力を促す画面を内蔵するモニタ（図示せず）に表示する（Ｓ１０３）。そして、ＩＤコード及びパスワードが入力された場合には、携帯電話機１４０等は、そのＩＤ及びパスワードをネットワークカメラ１２２へ送信する（Ｓ１０４）。
ネットワークカメラ１２２は、受信したＩＤコード及びパスワードに基づいて照合を行い（Ｓ１０５）、これらＩＤコード及びパスワードが正規のものである場合には、圧縮画像データを含むカメラ制御ポータル画面のデータを携帯電話機１４０等へ送信する（Ｓ１０６）。
【００３６】
携帯電話機１４０等は、受信したカメラ制御ポータル画面のデータに基づいて、カメラ制御ポータル画面を内蔵するモニタに表示する（Ｓ１０７）。そして、利用者によってカメラ制御ポータル画面におけるパンチルトコントロールタグが操作された場合には、その操作に応じた、ネットワークカメラ１２２内のレンズ４２２の方向を変える指示（パンチルト指示）をネットワークカメラ１２２へ送信する（Ｓ１０８）。
【００３７】
パンチルト指示を受信したネットワークカメラ１２２は、パンチルト部２２８によってレンズ４２２の方向を修正する（Ｓ１０９）。更に、ネットワークカメラ１２２は、修正後の撮影によって得られた圧縮画像データを携帯電話機１４０等へ送信する（Ｓ１１０）。携帯電話機１４０等は、修正後の撮影によって得られた圧縮画像データに基づく画像を内蔵するモニタに表示する（Ｓ１１１）。
【００３８】
なお、一般的にネットワークカメラ１２２における初期のＩＤコード及びパスワードと、レンズ４２２の初期の方向は、ネットワークカメラ１２２にハブ内臓ルータ１２４を介して接続されたパソコン１２８によりローカルで設定される。
【００３９】
図６は、ＩＤコード及びパスワードとレンズ方向の初期設定処理のシーケンス図である。パソコン１２８は、ネットワークカメラ１２２のローカルＩＰアドレスを含んだ設定要求を送信する。この配信要求は、ネットワークカメラ１２２によって受信される（Ｓ２０１）。設定要求を受信したネットワークカメラ１２２は、ＩＤコード及びパスワードの要求をパソコン１２８へ送信する（Ｓ２０２）。
【００４０】
ＩＤコード及びパスワードの要求を受信したパソコン１２８は、利用者にＩＤコード及びパスワードの入力を促す画面を内蔵するモニタに表示する（Ｓ２０３）。そして、利用者によって任意のＩＤコード及びパスワードが入力された場合には、パソコン１２８は、そのＩＤ及びパスワードをネットワークカメラ１２２へ送信する（Ｓ２０４）。
【００４１】
ネットワークカメラ１２２は、受信したＩＤコード及びパスワードを内蔵するメモリ（図示せず）等に保持することによって、初期のＩＤコード及びパスワードを設定する（Ｓ２０５）。更に、ネットワークカメラ１２２は、圧縮画像データを含むカメラ制御ポータル画面のデータをパソコン１２８へ送信する（Ｓ２０６）。
【００４２】
パソコン１２８は、受信したカメラ制御ポータル画面のデータに基づいて、カメラ制御ポータル画面を内蔵するモニタに表示する（Ｓ２０７）。そして、利用者によってカメラ制御ポータル画面におけるパンチルトコントロールタグが操作された場合には、その操作に応じたパンチルト指示をネットワークカメラ１２２へ送信する（Ｓ２０８）。
【００４３】
パンチルト指示を受信したネットワークカメラ１２２は、パンチルト部２２８によってレンズ４２２の方向を修正する（Ｓ２０９）。これにより、ＩＤコード及びパスワードの初期設定とともに、レンズ４２２の方向の初期設定が行われる。その後は、パソコン１２８は、ＩＤコード及びパスワードと、レンズ４２２の方向の設定のためには不要となり、以後のＩＤコード及びパスワードと、レンズ方向２２２の変更は、図５に示すように、ネットワーク１３０を介して、携帯電話機１４０やパソコン１５０によってなされる。
【００４４】
再び、図２に戻って説明する。画像監視記録システム１００内の記録端末１１２−１乃至１１２−３は、例えばパソコンであり、ハブ１０６、ルータ１０４及ぶモデム１０２を介してネットワーク１３０に接続される。記録端末１１２−１は、対応する撮影地点１２０−１に設置されたネットワークカメラ１２２−１からの画像データを記録する。同様に、記録端末１１２−２は、対応する撮影地点１２０−２に設置されたネットワークカメラ１２２−２からの画像データを記録し、記録端末１１２−３は、対応する撮影地点１２０−３に設置されたネットワークカメラ１２２−３からの画像データを記録する。
【００４５】
記録端末１１２の構成を図７に示す。図７に示す記録端末１１２は、対応する撮影地点１２０に設置されたネットワークカメラ１２２からの画像データを記録、再生する。この記録端末１１２は、画像データの記録機能及び画像データの再生機能を実現する画像記録・再生用ソフトウェア２１２をインストールした制御部２１１と、圧縮画像データを記録するハードディスク２１３と、各種の画像表示を行うディスプレイ２１４と、撮影地点１２０の居住者等の利用者による各種操作指示を受け付けるキーボード２１５とにより構成される。
【００４６】
図８は、画像記録及び再生処理のシーケンス図である。記録端末１１２内の制御部２１１は、対応する撮影地点１２０に設置されたネットワークカメラ１２２に対応するグローバルＩＰアドレスを含んだ配信要求を送信する。この配信要求は、ネットワークカメラ１２２によって受信される（Ｓ３０１）。なお、制御部２１１は、予め定められたタイミングで配信要求を自動的に送信しても良く、キーボード２１５が利用者の配信要求の操作指示を受け付けた場合に、その操作指示に応じて配信要求を送信してもよい。
【００４７】
配信要求を受信したネットワークカメラ１２２は、ＩＤコード及びパスワードの要求を配信要求の送信元の記録端末１１２内の制御部２１１へ送信する（Ｓ３０２）。
【００４８】
ＩＤコード及びパスワードの要求を受信した制御部２１１は、利用者にＩＤコード及びパスワードの入力を促す画面（入力画面）のデータを生成し（Ｓ３０３）、ディスプレイ２１４へ出力する。ディスプレイ２１４は、この入力画面データに基づいて入力画面を表示する（Ｓ３０５）。その後、利用者がキーボード２１５を操作して、ＩＤコード及びパスワードを入力すると、キーボード２１５は、その入力されたＩＤコード及びパスワードを制御部２１１へ出力し（Ｓ３０６）、制御部２１１は、更に、そのＩＤコード及びパスワードをネットワークカメラ１２２へ送信する（Ｓ３０７）。
【００４９】
ネットワークカメラ１２２は、受信したＩＤコード及びパスワードに基づいて照合を行う（Ｓ３０８）。これら受信したＩＤコード及びパスワードが内蔵するメモリ等に保持されているＩＤコード及びパスワードと一致する場合、換言すれば、受信したＩＤコード及びパスワードが正規のものである場合には、撮影により得られた圧縮画像データを随時記録端末１１２内の制御部２１１へ送信する（Ｓ３０９）。
【００５０】
制御部２１１は、受信した圧縮画像データに基づいて、撮影地点１２０に異常が生じたか否かを判定する（Ｓ３１０）。例えば、制御部２１１は、随時受信する圧縮画像データに変化が生じた場合には、撮影地点１２０に何らかの動体が存在するものとして、撮影地点１２０に異常が生じたと判定する。撮影地点１２０に異常が生じた場合には、制御部２１１は、その異常時に対応する圧縮画像データを選別し、ハードディスク２１３へ出力する（Ｓ３１１）。ハードディスク３１２は、この選別された圧縮画像データを記録する（Ｓ３１２）。
【００５１】
その後、利用者がキーボード２１５を操作して、再生指示を行うと、キーボード２１５は、その再生指示を制御部２１１へ出力する（Ｓ３１３）。制御部２１１は、再生指示が入力されると、ハードディスク２１３に記録された圧縮画像データを読み出す（Ｓ３１４）。更に、制御部２１１は、読み出した圧縮画像データを伸張して画像データを生成し、ディスプレイ２１４へ出力する（Ｓ３１５）。ディスプレイ２１４は、この画像データに基づいて画像表示を行う（Ｓ３１６）。
【００５２】
管理端末１１４の構成を図９に示す。図９に示す管理端末１１４は、全ての撮影地点１２０の画像をモニタすることができる。この管理端末１１４は、画像監視記録システム１００による各種管理機能を実現する管理用ソフトウェア２２２をインストールした制御部２２１と、ハードディスク２２３と、各種の画像表示を行うディスプレイ２２４と、画像監視記録システム１００の管理者による各種操作指示を受け付けるキーボード２２５とにより構成される。
【００５３】
これらのうち、ハードディスク２２３には、図１０に示すように、撮影地点１２０毎に、当該撮影地点１２０に設置されたネットワークカメラ１２２に対応するグローバルＩＰアドレス（撮影地点１２０に設置されるハブ内蔵ルータ１２４のグローバルＩＰアドレス）、撮影地点１２０のＩＤコード、当該ＩＤコードに対応するパスワードが対応付けられて記録されている。上述した記録端末１１２における画像記録及び再生処理において、利用者がＩＤコード等を忘れた場合には、管理者がキーボード２２５を操作してハードディスク２２３に記録されたＩＤコード等を取得することができるようになっている。
【００５４】
図１１は、画像モニタ処理のシーケンス図である。管理端末１１４内の制御部２２１は、ハードディスク２２３から撮影地点１２０に設置されたネットワークカメラ１２２に対応するグローバルＩＰアドレスを読み出し（Ｓ４０１）、当該グローバルＩＰアドレスを含んだ配信要求を送信する。この配信要求は、ネットワークカメラ１２２によって受信される（Ｓ４０２）。なお、制御部２１１は、自動的にハードディスク２２３からグローバルＩＰアドレスを読み出して配信要求を送信しても良く、キーボード２２５が管理者の配信要求の操作指示を受け付けた場合に、その操作指示に応じて配信要求を送信してもよい。
【００５５】
配信要求を受信したネットワークカメラ１２２は、ＩＤコード及びパスワードの要求を配信要求の送信元の管理端末１１４内の制御部２２１へ送信する（Ｓ４０３）。
【００５６】
ＩＤコード及びパスワードの要求を受信した制御部２２１は、Ｓ４０１で読み出したグローバルＩＰアドレスに対応付けられているＩＤコード及びパスワードをハードディスク２２３から読み出し（Ｓ４０４）、ネットワークカメラ１２２へ送信する（Ｓ４０５）。なお、制御部２１１は、管理者がキーボード２２５を操作して、ＩＤコード及びパスワードを入力した場合に、そのＩＤコード及びパスワードをネットワークカメラ１２２へ送信するようにしても良い。
【００５７】
ネットワークカメラ１２２は、受信したＩＤコード及びパスワードに基づいて照合を行う（Ｓ４０６）。そして、受信したＩＤコード及びパスワードが正規のものである場合には、ネットワークカメラ１２２は、撮影により得られた圧縮画像データを随時管理端末１１４内の制御部２２１へ送信する（Ｓ４０７）。
【００５８】
制御部２２１は、受信した圧縮画像データを伸張して画像データを生成し、ディスプレイ２２４へ出力する（Ｓ４０８）。ディスプレイ２２４は、この画像データに基づいて画像表示を行う（Ｓ４０９）。
【００５９】
図１１に示す処理が順次各撮影地点１２０に設置されたネットワークカメラ１２２毎に行われることによって、管理端末１１４内のディスプレイ２２４には、全ての撮影地点１２０の画像が順次表示されることになる。なお、更に、管理端末１１４が、記録端末１１２と同様、ネットワークカメラ１２２のレンズ４２２の方向制御等を行うことができるようにしても良い。
【００６０】
このように、画像監視記録システム１００では、複数の撮影地点１２０と１対１に対応する記録端末１１２と管理端末１１４とを使い分けており、記録端末１１２は、対応する撮影地点１２０の撮影により得られた圧縮画像データを記録するとともに、当該画像データに基づく画像表示を行う。従って、記録端末１１２により撮影地点１２０毎に圧縮画像データが独立して記録されることになり、監視対象である撮影地点１２０が数多く存在する場合においても個々の撮影地点１２０に対応する圧縮画像データの独立性、換言すれば、圧縮画像データのセキュリティを高めることができる。このため、住居等のプライバシーの保護が要求されるような多くの独立した撮影地点１２０に適したものとすることができる。
【００６１】
また、記録端末１１２が撮影地点１２０と１対１に対応しているため、撮影地点１２０の居住者等の利用者は、記録端末１１２を直接に運営管理することも可能となり、画像監視記録システム１００の活用の場を大きく拡大することができる。
【００６２】
しかも、記録端末１１２として、汎用のパソコンに専用の画像記録・再生用ソフトウェア２１２をインストールした物を用いることにより、サーバを用いる従来の画像監視記録システムに比べて記録端末１１２の台数は増えるものの、容易且つ安価に実現することができる。更には、撮影地点１２０の居住者等の利用者が所有する汎用のパソコンを記録端末１１２として用いることも可能となる。
【００６３】
また、管理端末１１４は、全ての撮影地点１２０の画像のモニタを可能としており、画像監視記録システム１００の管理者は、全ての撮影地点１２０をまとめて監視することができるとともに、管理端末１１４の操作に専念することができる。
【００６４】
また、記録端末１１２は、撮影地点１２０に動体が存在する等の何らかの異常が生じた場合のみ、その異常時に対応する圧縮画像データを選別し、ハードディスク２１３へ記録しているため、監視に必要な画像データを適切に記録しつつ、ハードディスク２１３を効率的に利用することができる。撮影地点１２０が限定されることも考慮すれば、ハードディスク２１３の容量は、数十ＧＢ程度で十分実用に耐え得るものとなる。
【００６５】
なお、上述した実施形態では、記録端末１１２は、撮影地点１２０に１対１に対応しているが、複数の撮影地点１２０がマンション等の共同住宅や地域社会における各町内会等の一定の集団に属する場合には、その集団に属する複数の撮影地点１２０に対して１つの記録端末１１２が対応するような構成であっても良い。この場合には、集団単位で、撮影地点１２０に対応する圧縮画像データの独立性を高めることができる。
【００６６】
また、１つの撮影地点１２０に複数のネットワークカメラ１２２が設置された構成であっても良い。この場合、１つの撮影地点１２０に設置される複数のネットワークカメラ１２２の撮影によって得られる画像データは、撮影地点１２０に対応する１つのグローバルＩＰアドレスが用いられて送信されても良く、ネットワークカメラ１２２毎に異なるグローバルＩＰアドレスが用いられて送信されても良い。
【００６７】
また、記録端末１１２内のハードディスク２１３に記録された画像データは、ネットワーク１３０を介して特定の端末に転送することが可能な構成であっても良い。
ところで、各撮影地点１２０の居住者等の利用者のそれぞれが記録端末１１２を運営管理するような場合、プライバシー保護や情報セキュリティの観点から記録端末１１２の物理的な保護も求められる。以下、記録端末１１２の物理的な保護を図るための構成について説明する。
【００６８】
記録端末１１２を収容する第１の収容棚を図１２に示す。図１２に示す第１の収容棚は、ノートパソコンとしての記録端末１１２を収容する棚部３０１と、棚部３０１に対応し、当該棚部３０１を開閉する扉３０３とにより構成される。扉３０３は、施錠鍵３０５により施錠可能であり、取っ手３０４が取り付けられている。扉３０３が閉められて施錠されている場合には、図１２（ａ）に示すように、記録端末１１２は外部から触れることができない状態になっている。一方、扉３０３が開かれている場合には、図１２（ｂ）に示すように、当該扉３０３は棚部３０１の上部に収納され、記録端末１１２は外部から触れることができる状態になっている。また、記録端末１１２は、スライド式の台３０７の上に配置されており、扉３０３が開かれている場合には、利用者が台３０７に取り付けられた取っ手３０８を引くことにより、当該台３０７とともに前方に移動し、操作しやすい配置となる。
【００６９】
記録端末１１２を収容する第２の収容棚を図１３に示す。図１３に示す第２の収容棚は、上述した第１の収容棚と比較すると、扉３０３に小窓３０９又はスペース３１０が形成されている。利用者は、これら小窓３０９又はスペース３１０から棚部３０１の内部を見ることにより、扉３０３が閉められ施錠されている場合においても、記録端末１１２の可動状況を認識することができる。
【００７０】
記録端末１１２を収容する第３の収容棚を図１４に示す。図１４に示す第３の収容棚は、上下左右にマトリクス状に配置され、ノートパソコンとしての記録端末１１２を収容する複数の棚部３０１と、これら複数の棚部３０１全体を開閉する扉３１１とにより構成される。扉３１１は、施錠鍵３１２により施錠可能である。扉３１１が開かれている場合には、記録端末１１２は外部から触れることができる状態になっている。また、記録端末１１２は、スライド式の台３０７の上に配置され、扉３０３が開かれている場合には、当該台３０７とともに前方に移動し、操作しやすい配置となる。
【００７１】
利用者が記録端末１１２を操作する際、管理者等が立ち会うことを前提とすれば、第１及び第２の収容棚のように棚部３０１のそれぞれに対応する扉３０３は必ずしも必要ではなく、第３の収容棚のように複数の棚部３０１全体を開閉する扉３１１を設けることの方が適切である。
【００７２】
上述した画像監視記録システム１００の利用によって、パソコン等の汎用機器を利用して、フレキシビリティに富み、且つ、容易な運営管理が実現される。例えば、画像監視記録システム１００は、従来のように銀行や空港等の高度なセキュリティが求められる場所の監視のための用途に限定されず、マンション等の共同住宅における各住居を撮影地点１２０とし、管理事務所等に画像監視記録システム１００を設置した構成や、地域社会における各町内会を撮影地点１２０とし、自治会館等に画像監視記録システム１００を設置した構成等の様々な場面での適用が可能となる。そして、このような場合には、記録端末１１２が貸金庫のように住居や町内会の撮影により得られた画像データを記録することが可能となり、更には、画像監視記録システム１００の導入を広報することによって、犯罪抑止につなげることも可能となる。
【００７３】
なお、一般的に、防犯のためであっても、生活上における画像を監視、記録されることは大きな抵抗感があり、国や自治体がそのようなシステムを導入することについて理解を得るのは困難である。しかし、共同住宅や地域社会といった限定された地域であれば、例えば、一定のルールに基づいて住民自身が管理運営するようにすることにより、システム導入についての合意も得られやすい。かかる観点からも、画像監視記録システム１００は、従来のシステムよりも犯罪抑止に対する貢献は大きいと考えられる。
【００７４】
また、画像監視記録のビジネスを展開した場合、画像監視記録システム１００の導入により、撮影地点１２０の居住者等の顧客に対して、画像データが記録される記録端末１１２を明確にすることができるため、顧客はプライバシー面で安心感が得られる。また、ビジネスを展開する者は、顧客の増加に対応して記録端末１１２を増設していけば良いため、初期投資を大きく抑えることができる。
【産業上の利用可能性】
【００７５】
以上のように、本発明にかかる画像監視記録システム及び画像監視記録方法は、多くの独立した監視対象の監視に適しているという効果を有し、画像監視記録システム等として有用である。
【図面の簡単な説明】
【００７６】
【図１】従来の画像監視記録システムの構成を示す図である。
【図２】本実施形態の画像監視記録システムの構成を示す図である。
【図３】ネットワークカメラの構成を示す図である。
【図４】画像配信システムの構成を示す図である。
【図５】画像配信処理のシーケンス図である。
【図６】初期設定処理のシーケンス図である。
【図７】記録端末の構成を示す図である。
【図８】画像記録及び再生処理のシーケンス図である。
【図９】管理端末の構成を示す図である。
【図１０】ハードディスクに記録される情報を示す図である。
【図１１】画像モニタ処理のシーケンス図である。
【図１２】記録端末を収容する第１の収容棚を示す図である。
【図１３】記録端末を収容する第２の収容棚を示す図である。
【図１４】記録端末を収容する第３の収容棚を示す図である。
【符号の説明】
【００７７】
１００  画像監視記録システム
１０２  モデム
１０４  ルータ
１０６  ハブ
１１２−１、１１２−２、１１２−３  記録端末
１１４  管理端末
１２０−１、１２０−２、１２０−３  撮影地点
１２２−１、１２２−２、１２２−３  ネットワークカメラ
１２４−１、１２４−２、１２４−３  ハブ内蔵ルータ
１２６−１、１２６−２、１２６−３  モデム
１２８−１、１２８−２、１２８−３、１５０  パソコン
１３０  ネットワーク
１４０  携帯電話機
２１１、２２１  制御部
２１２  画像記録・再生用ソフトウェア
２１３、２２３  ハードディスク
２１４、２２４  ディスプレイ
２１５、２２５  キーボード
２２２  管理用ソフトウェア
３０１  棚部
３０３、３１１  扉
３０４、３０８  取っ手
３０５、３１２  施錠鍵
３０７  台
３０９  小窓
３１０  スペース
４２１  本体
４２２  レンズ
４２３  撮像素子
４２４  ＤＳＰ部
４２５  画像圧縮部
４２６  ネットワーク処理部
４２７  イーサネット（登録商標）処理部
４２８  パンチルト部
【図１】
2006157276.tif 000003
【図２】
2006157276.tif 000004
【図３】
2006157276.tif 000005
【図４】
2006157276.tif 000006
【図５】
2006157276.tif 000007
【図６】
2006157276.tif 000008
【図７】
2006157276.tif 000009
【図８】
2006157276.tif 000010
【図９】
2006157276.tif 000011
【図１０】
2006157276.tif 000012
【図１１】
2006157276.tif 000013
【図１２】
2006157276.tif 000014
【図１３】
2006157276.tif 000015
【図１４】
2006157276.tif 000016